【手続補正書】
【提出日】平成27年9月9日(2015.9.9)
【手続補正１】
【補正対象書類名】特許請求の範囲
【補正対象項目名】全文
【補正方法】変更
【補正の内容】
【特許請求の範囲】
【請求項１】
被ドッキング装置とドッキングステーションとを有する無線ドッキングシステムであって、
前記ドッキングステーションは、
前記被ドッキング装置に接続するための第１ネットワーク接続を確立する第１手段と、
無線ネットワークアクセスポイントに接続するための第２ネットワーク接続を確立する第２手段と、
を有し、
前記被ドッキング装置は、前記被ドッキング装置と前記無線ネットワークアクセスポイントとの間の第１トラフィックのための前記被ドッキング装置と前記無線ネットワークアクセスポイントとの間の初期接続を介して前記無線ネットワークアクセスポイントにアクセスするための第１情報を有し、
前記ドッキングステーションは、
第１ステップにおいて、前記被ドッキング装置から前記第１情報を受信するために、当該ドッキングステーションと前記被ドッキング装置との間に第１の安全な無線接続を確立すると共に、
第２ステップにおいて、当該ドッキングステーションと前記無線ネットワークアクセスポイントとの間の第２の安全な無線接続を、前記第１情報を用いて前記アクセスポイントに接続することにより確立し、
前記ドッキングステーションは、更に、前記第１の安全な無線接続を介して前記第１トラフィックのためのトンネリング接続を可能にする、
無線ドッキングシステム。
【請求項２】
前記第１情報が、前記被ドッキング装置のＩＰアドレス又はＭＡＣアドレスを含む、請求項１に記載の無線ドッキングシステム。
【請求項３】
前記第１の安全な無線接続が、Wi-Fi直接接続である、請求項２に記載の無線ドッキングシステム。
【請求項４】
前記ドッキングステーションが、ＩＰヘッダにおけるソースアドレスを前記被ドッキング装置により使用されるＩＰアドレスに合致するように変更する、請求項２又は請求項３に記載の無線ドッキングシステム。
【請求項５】
前記被ドッキング装置が、前記アクセスポイントに接続するために前記トンネリング接続を使用するように自身を自動的に再構成する、請求項２又は請求項３に記載の無線ドッキングシステム。
【請求項６】
前記被ドッキング装置が、前記ドッキングステーションが前記アクセスポイントに送信すべき無線フレームを構築することに関し、これら無線フレームが前記アクセスポイントに送信されるべき際の該フレームの暗号化及び順序付けを処理することにより少なくとも部分的に責任を負う、請求項５に記載の無線ドッキングシステム。
【請求項７】
前記第１ネットワーク接続を確立する第１手段が、前記被ドッキング装置に接続するための内蔵の第１ネットワークインターフェースに対応し、
前記第２ネットワーク接続を確立する第２手段が、プラグインネットワークインターフェース装置に対応し、
前記被ドッキング装置は遠隔装置ドライバを有し、前記ドッキングステーションは前記プラグインネットワークインターフェース装置に接続された汎用装置ドライバを有し、該汎用装置ドライバは、前記被ドッキング装置から前記ドッキングステーションへの前記被ドッキング装置と前記プラグインネットワークインターフェース装置との間の無線接続を介してのデータの送信を可能にするために、前記被ドッキング装置により初期化又は制御される、
請求項１ないし６の何れか一項に記載の無線ドッキングシステム。
【請求項８】
前記汎用装置ドライバが、前記プラグインネットワークインターフェース装置から到来する無線パケットデータペイロードを含むメッセージを他のメッセージから分離するメッセージ弁別器を有する、請求項７に記載の無線ドッキングシステム。
【請求項９】
前記汎用装置ドライバが、前記プラグインネットワークインターフェース装置から受信されたメッセージから無線パケットペイロードデータを抽出するメッセージプロセッサを有する、請求項７に記載の無線ドッキングシステム。
【請求項１０】
前記汎用装置ドライバが、前記遠隔装置ドライバから受信されたメッセージを、該汎用装置ドライバの、特には該汎用装置ドライバが特定のプラグインネットワークインターフェース装置に対して動作することができることに関しての動作に影響を与えるコマンドに翻訳するコマンドインタープリタを有する、請求項７に記載の無線ドッキングシステム。
【請求項１１】
前記被ドッキング装置に接続するための第１ネットワーク接続を確立する第１手段と、前記無線ネットワークアクセスポイントに接続するための第２ネットワーク接続を確立する第２手段とを有する、請求項１に記載のシステム内の無線ドッキングステーションであって、
当該無線ドッキングステーションは、
第１ステップにおいて、前記被ドッキング装置から前記第１情報を受信するために、当該無線ドッキングステーションと前記被ドッキング装置との間に第１の安全な無線接続を確立すると共に、
第２ステップにおいて、当該無線ドッキングステーションと前記無線ネットワークアクセスポイントとの間の第２の安全な無線接続を、前記第１情報を用いて前記アクセスポイントに接続することにより確立し、
当該無線ドッキングステーションは、更に、前記第１の安全な無線接続を介して前記第１トラフィックのためのトンネリング接続を可能にする、
無線ドッキングステーション。
【請求項１２】
請求項１に記載のシステム内の被ドッキング装置であって、
当該被ドッキング装置は、当該被ドッキング装置と前記無線ネットワークアクセスポイントとの間の第１トラフィックのための当該被ドッキング装置と前記無線ネットワークアクセスポイントとの間の初期接続を介して前記無線ネットワークアクセスポイントにアクセスするための第１情報を有し、
当該被ドッキング装置は、前記第１の安全な無線接続を確立するために前記ドッキングステーションと協働し、
当該被ドッキング装置は更に前記第１情報を前記ドッキングステーションに送信し、該第１情報は当該被ドッキング装置のＩＰアドレス及び／又はＭＡＣアドレスを有し、
当該被ドッキング装置は更に前記アクセスポイントに接続するためにトンネリング接続を使用するように自身を自動的に再構成する、
被ドッキング装置。
【請求項１３】
当該被ドッキング装置は、前記ドッキングステーションが前記アクセスポイントに送信すべき無線フレームを構築することに関し、これら無線フレームが前記アクセスポイントに送信されるべき際の該フレームの暗号化及び順序付けを処理することにより少なくとも部分的に責任を負う、請求項１２に記載の被ドッキング装置。
【請求項１４】
被ドッキング装置をドッキングステーションと無線でドッキングする方法であって、
前記被ドッキング装置と前記ドッキングステーションとの間の第１の安全な無線接続を、第１ネットワーク接続を介して確立するステップを有し、
前記被ドッキング装置は、前記被ドッキング装置と前記無線ネットワークアクセスポイントとの間の第１トラフィックのための前記被ドッキング装置と前記無線ネットワークアクセスポイントとの間の初期接続を介して前記無線ネットワークアクセスポイントにアクセスするための第１情報を有し、
前記方法は、
前記ドッキングステーションにより前記被ドッキング装置から前記第１情報を受信するステップと、
前記ドッキングステーションにより前記初期接続を、前記第１情報を用いて前記アクセスポイントに前記ドッキングステーションと前記無線ネットワークアクセスポイントとの間の第２の安全な無線接続を介して接続することにより、且つ、前記第１の安全な無線接続を介して前記第１トラフィックをトンネリングすることにより引き継ぐステップと、
を有する方法。
【請求項１５】
前記被ドッキング装置から前記ドッキングステーションに前記被ドッキング装置とプラグインネットワークインターフェース装置との間の前記第１の安全な無線接続を介してデータを送信することを可能にするために、前記ドッキングステーション内の汎用装置ドライバを前記被ドッキング装置により初期化又は制御するステップを更に有する、請求項１４に記載の方法。